(57)【特許請求の範囲】
【請求項１】
寺社等の本瓦棒屋根であって、屋根の軒先は、粘土製の唐草瓦と巴瓦で葺かれ、隣合う瓦棒間が、耐腐食性を有する金属板製の断面コ字形の溝板瓦と、その溝内に内装され溝板瓦と同一材料で形成した平板瓦とで葺かれるとともに、各瓦棒の上面が耐腐食性を有する金属板製の丸板瓦で葺かれていることを特徴とする寺社等の本瓦棒屋根。
【請求項２】
寺社等の本瓦棒屋根であって、屋根の軒先は、亜鉛鋳物製の唐草瓦と巴瓦で葺かれ、隣合う瓦棒間が、耐腐食性を有する金属板製の断面コ字形の溝板瓦と、その溝内に内装され溝板瓦と同一材料で形成した平板瓦とで葺かれるとともに、各瓦棒の上面が耐腐食性を有する金属板製の丸板瓦で葺かれていることを特徴とする寺社等の本瓦棒屋根。
【請求項３】
屋根の棟が耐腐食性を有する金属板製の慰斗積状箱棟で覆われるとともに、その上面が粘土製の雁振瓦で覆われ、さらに雁振瓦を設けた部分の先端部に粘土製の鬼瓦が取り付けられていることを特徴とする請求項１又は２に記載の寺社等の本瓦棒屋根。
【請求項４】
前記の金属板製の平板瓦は、平面部の先端部に厚みに見える折返し部が形成されるとともに、平面部の両側端に折曲げた楔形状の側面部及びその上端に水切部が設けられていることを特徴とする請求項１、２又は３に記載の寺社等の本瓦棒屋根。
【請求項５】
寺社等の本瓦棒屋根の施工方法であって、屋根の瓦葺き下地の完成後、粘土又は亜鉛鋳物製の唐草瓦と巴瓦を軒先に取り付け、次に耐腐食性で金属板製の断面コ字形の溝板瓦の溝部に、溝板瓦と同一材料で形成した平板瓦を内装した状態でそれぞれ隣合う２つの瓦棒の間に上から嵌めて軒先まで挿入し、次に各瓦棒の上面を耐腐食性を有する金属板製の丸板瓦で軒先から棟に向かって被包して取り付け、次に耐腐食性を有する金属板製の慰斗積状箱棟で棟を覆うことを特徴とする寺社等の本瓦棒屋根の施工法。
【発明の詳細な説明】
【０００１】
【発明の属する技術分野】
本発明は、寺院や神社等の本瓦棒屋根とその施工法であって、従来の本瓦葺屋根の重厚な外観を保持するとともに、屋根の軽量化を可能にしたものである。
【０００２】
【従来の技術】
従来、寺院や神社の屋根は図６に示すように、野垂木２１・野地板２２・瓦座２５・土居葺２９・土留桟３０等で構成した屋根葺き下地上に、粘土製の唐草瓦５・巴瓦６・鬼瓦等の彫り紋様のある役物瓦と平瓦１３・丸瓦１４・棟瓦等を用いて、土居葺２９上に屋根土３１を敷き込み屋根瓦を葺いた本瓦葺屋根が主流となっている。なお、最近は屋根土３１を省いた本瓦葺屋根が多くなっている。
また、昨今では寺社建築等の屋根を軽量化し簡略化して、地震に強く建築費の軽減を図るために提案された銅板製の本瓦棒葺屋根が施工されている。この銅板製の屋根は、屋根の外観を本瓦葺屋根に類似させるため、丸瓦や平瓦や巴・唐草・鬼など彫り紋様のある役瓦等の全ての瓦を銅板で製作して葺き上げている。
【０００３】
【発明が解決しようとする課題】
前記従来の本瓦葺屋根の瓦材は粘土が原料であり、瓦を重ね葺いたり屋根土を敷き込む必要があるので屋根重量は相当に重いものとなってる。従って屋根重量を支えるために、建物の基礎・軸組・小屋組・屋根下地等の部材を大きくして頑丈に構築する必要があるので建築費が高価となっている。なお、昨今では寺社等の新築や改修工事等に従来の本瓦葺屋根を採用することは、屋根材を含めた資材や職人の手配や建設費用の調達等の面で非常に困難な状況である。
また、従来の本瓦葺屋根は、屋根重量が大きいため地震の被害を受けやすい状況となっており、阪神大震災の被害例でも寺社の地震被害は甚大で、特に屋根の被害、例えば屋根瓦の滑落や葺き下地の破損等が顕著で雨漏りで困っている寺社が多く見受けられ、屋根の簡単で廉価な改修工法が待たれている現状である。
【０００４】
さらに、銅板製の本瓦棒葺屋根は、屋根に使用する全ての瓦を銅板製にしているので、従来の粘土製の瓦のもつ重厚な色調でなく、色合いが違い過ぎてまがいものの寺社建築という感がぬぐえない。また巴・唐草・鬼など彫り紋様のある役物を銅板で造るので費用も期待した程に廉価でないという問題があった。
本発明は、前記従来技術の問題点に鑑みて提案されたもので、その目的とするところは、従来の本瓦葺屋根に比べて軽量で地震に強く、外観の遜色がなく、低価額で、施工性がよい本瓦棒葺屋根とその施工法を提供するものである。
【０００５】
【課題を解決するための手段】
前記目的を達成した本発明の寺社等の本瓦棒葺屋根は、屋根の軒先が、粘土製の唐草瓦と巴瓦で葺かれ、隣合う瓦棒間が、耐腐食性を有する金属板製の断面コ字形の溝板瓦と、その溝内に内装され溝板瓦と同一材料で形成した平板瓦とで葺かれるとともに、各瓦棒の上面が耐腐食性を有する金属板製の丸板瓦で葺かれていることを特徴とする。なお、耐腐食性の金属板には、亜鉛板、スズ板、ステンレス板、チタン板などの灰色のものを適用するのが望ましく、さらに銅板で作成する場合にも本発明を適用することが可能である。また唐草瓦と巴瓦を粘土製にする代わりに、亜鉛鋳物で作成することも可能である。
さらに屋根の棟を耐腐食性を有する金属板製の慰斗積状箱棟で覆うとともに、その上面を粘土製の雁振瓦で覆い、さらに雁振瓦を設けた部分の先端部に粘土製の鬼瓦を取り付けて屋根を完成させることができる。
前記の耐腐食性を有する金属板製の平板瓦は、平面部の先端部に厚みに見える折返し部が形成されるとともに、平面部の両側端に折曲げた楔形状の側面部及びその上端に水切部が設けられている。
【０００６】
本発明の寺社等の本瓦棒屋根の施工方法は、屋根の瓦葺き下地の完成後、粘土又は亜鉛鋳物製の唐草瓦と巴瓦を軒先に取り付ける。次に耐腐食性で金属板製の断面コ字形の溝板瓦の溝部に、溝板瓦と同一材料で形成した平板瓦を内装した状態でそれぞれ隣合う２つの瓦棒の間に上から嵌めて軒先まで挿入し、屋根全面を、溝板瓦の溝部に内装した平板瓦で覆う。次に各瓦棒の上面を耐腐食性を有する金属板製の丸板瓦で軒先から棟に向かって被包して取り付け、次に耐腐食性を有する金属板製の慰斗積状箱棟で棟を覆うようにした。
【０００７】
本発明によれば、軒先の唐草瓦と巴瓦および棟の雁振瓦は粘土または亜鉛鋳物製の役瓦を用い、従来の粘土製の平瓦と丸瓦及び棟瓦部分を、耐腐食性を有する金属板製の溝板瓦とそれに内装した平板瓦と丸板瓦及び慰斗積状箱棟を用いて本瓦葺屋根風に葺き上げたので、本瓦葺屋根の大部分を占める平瓦と丸瓦及び棟瓦部分が、軽量、耐腐食性を有する金属板製の溝板瓦と平板瓦と丸板瓦及び慰斗積状箱棟に置換されることとなり、屋根重量の大幅な軽減が可能となる。
また、耐腐食性を有する金属板製の平板瓦や溝板瓦や丸板瓦や慰斗積状箱棟は、耐腐食性や耐久性があり、粘土製瓦と色調が類似したものを適用することにより、屋根全体を本来の粘土瓦と同一の色調に保つことができる。
さらに、雨水は丸板瓦と平板瓦を流れて軒先に達するが、台風等の大雨のため平板瓦から溢れた雨水は溝板瓦を流れて軒先に達する二重防水構造としたので、瓦面からの雨漏りは皆無である。また丸板瓦や平板瓦の裏面に発生した結露は溝板瓦に案内されて軒先に流れるので、水漏れを防ぐことができ、さらに平板瓦と溝板瓦の間の空間が断熱効果を有する。
【０００８】
【発明の実施の形態】
本発明の寺社等の本瓦棒葺屋根とその施工法を図示により説明する。
図１乃至図５は本発明の本瓦棒葺屋根を示す。裏甲２４上に、高さ調整の必要あるときは添木２３を入れて、野垂木２１を取り付け、その上に野地板２２を貼る。裏甲２４の先端上に瓦座２５を介して敷平瓦４を載置する。そして野地板２２上に軒先から棟に亙って断面がキノコ状の木製の瓦棒２６を指定の間隔で並列に配設し、棟木２７に慰斗積状箱棟９を固定するための支柱２８を所定間隔で立設して瓦葺き下地を構成する。前記瓦棒２６は傘部２６ａの断面が従来例の丸瓦１４と同一の外形断面で、胴部２６ｂは溝板瓦２が挿入可能な高さに加工されている。
【０００９】
本発明の本瓦棒葺屋根の施工手順は、前記瓦葺き下地の完成後、軒先に設けた瓦座２５上に敷平瓦４を重ねて唐草瓦５を載置し、その唐草瓦５を唐草瓦の後部釘穴から釘で添木２３に固定して軒先全周に唐草瓦５を葺く。そして、唐草瓦５の両側端を覆うように巴瓦６を瓦棒２６の先端に載置し、巴瓦６の後部の凹部に銅線を絡めて瓦棒２６等に固定して軒先全周に亙り巴瓦６を葺いて、軒先を粘土製の役瓦で仕上げる。
【００１０】
次に、隣合う瓦棒２６の胴部２６ｂ間に溝板瓦２を固定するため、短冊状の亜鉛板をＬ字形に成形した吊子（図示せず）を所定の間隔で胴部２６ｂの上部に取り付けておく。また隣合う２つの瓦棒２６間にフェルト８を敷き込んだ後、予め工場等で断面コ字形に亜鉛板で形成しその溝部を上面にした溝板瓦２の溝内に亜鉛板製の平板瓦１を内装し、その状態の溝板瓦２と平板瓦１を棟側から隣合う瓦棒２６間に嵌め軒先まで挿入し、吊子の先端を溝板瓦２の両水返し部２ｃにハゼ折りして固定する。なお軒先から棟までを複数の溝板瓦２で葺くときは、各溝板瓦の接続部で水漏れしないように接続部では、下側の溝板瓦の上に上側の溝板瓦が重なるように配置する。また溝板瓦２の溝内で上下に隣合う平板瓦１は、下側位置の平板瓦１の上端部上に上側位置の平板瓦１の下端部が上に重なるように配置される。
次に、複数の亜鉛板製の丸板瓦３を、瓦棒２６の先端に固定した巴瓦６に重ねた位置から棟に向かって瓦棒２６の上面を被包しながら図１に示すように順番に重ね合わせ、丸板瓦３の折返し部３ｂを溝板瓦２の水返し部２ｃの先端にハゼ折りして固定して丸板瓦３を葺き上げだ後、溝板瓦２と丸板瓦３の終端交差部分を棟部分でハゼ折りして接合する。なお、瓦棒２６の上面は、フェルトを介して丸板瓦３で包まれる。
【００１１】
次いで、棟木２７に立設した支柱２８に亜鉛板製の慰斗積状箱棟９を被せるように設置し、支柱２８の腕木２８ａに設けた胴縁２８ｂにビス等で固定する。そして慰斗積状箱棟９の上部に粘土製の雁振瓦１０を南蛮漆喰１１を下敷きにして冠着し、雁振瓦１０の頂部の小穴から銅線２９で支柱２８と固定する。また棟の両先端部には粘土製の鬼瓦（図示せず）を慰斗積状箱棟９の先端に棟を跨ぐ状態で設置し、銅線で支柱２８に固定して本瓦棒葺屋根を葺き上げる。
なお前記では、雁振瓦１０や鬼瓦を銅線で固定したが、その他の連結材を使用して固定することが可能である。また雁振瓦１０は粘土製であったが、それも亜鉛板製にして慰斗積状箱棟９の上部に固定するようにしてもよい。さらに慰斗積状箱棟９の部分は粘土製にして、溝板瓦２と平板瓦１と丸板瓦３のみを亜鉛板製にすることも可能である。
【００１２】
前記本瓦棒葺屋根に用いる平板瓦１とそれを溝内に内装する溝板瓦２とは、それぞれ亜鉛板で製作されている。その平板瓦１は、従来例の粘土製の平瓦１３とほぼ同一の幅と所定の重ね代を有する長さで横断面が平瓦と同形の円弧を有する平面部１ａに、その先端を瓦の厚みと見られるように平瓦厚と同寸法に折り曲げた先端部１ｂと、その両側端を内方向に折り曲げた折返し部１ｃ、及び平面部１ａの両側端を上方に折り曲げた楔形状の側面部１ｄと、その上端を内側に折り返した水切部１ｅとを設けて粘土製の平瓦１３に類似した形状に成形されている。溝板瓦２は、例えば約４ｍ長さの長尺板で断面略コ字形に製作されて、その溝部が上面となるように屋根面に配置される。また溝板瓦２は、ほぼ従来例の粘土製の平瓦１３の幅を有する底部２ａと、平瓦１３を葺き重ねた位置での端部の高さを有する両側面部２ｂと、その側面部２ｂの先端を内側に逆Ｌ字形に折り曲げ、さらにその先に水返部２ｃを有する溝形状に成形されている。そして予め工場等で溝板瓦２の溝内の底部２ａ上に平板瓦１を葺いて、従来の平瓦１３で葺いたのと類似の形状で二重防水構造となっている。この場合、溝板瓦２の溝内の底部２ａ上に内装した平板瓦１は、溝板瓦２の側面部２ｂに平板瓦１の側面部１ｄの葺き重ね部分からポップリベットで鋲着するか、ハンダ付等により融着して確実に固定されているが、その他の止め部材により固定してもよい。
【００１３】
また、前記丸板瓦３は、従来例の粘土製の丸瓦１４の外形と寸法がほぼ同一に亜鉛板で製作され、丸面部３ａの両側端にハゼ掛け用の折返し部３ｂを設けて粘土製の丸瓦１４に類似した形状に形成され、前記のように瓦棒２６の上面を覆って取り付けられている。
さらに、前記慰斗積状箱棟９は、箱棟９ａと慰斗板９ｂで構成されてそれぞれ亜鉛板で製作されている。箱棟９ａは長尺板を加工してほぼ従来の粘土製の棟瓦１４で葺いた外形断面寸法で頂辺を山形に成形した箱を伏せた形状に成形され、その箱棟９ａの両側面に複数枚の鱗状の慰斗板９ｂを添設し、箱棟９ａの両側下端部に丸板瓦３に嵌合する切り欠けを設けて、従来例の棟瓦（図示せず）に類似の形状にしている。
以上の実施例では、平板瓦１、溝板瓦２、丸板瓦３、慰斗積状箱棟９などを粘土製瓦とほぼ同一灰色の亜鉛板で形成したが、亜鉛板以外で耐腐食性を有し灰色のスズ板、ステンレス板、チタン板などで作成することが可能であり、さらに灰色ではないが銅板で作成することも可能である。また、唐草瓦と巴瓦と鬼瓦は粘土製であったが、それらを亜鉛鋳物で作成することも可能であり、さらに平板瓦１や溝板瓦２などを銅板製にする場合は、唐草瓦と巴瓦と鬼瓦も銅板製にしてもよい。
【００１４】
【発明の効果】
本発明によれば、従来の本瓦葺屋根の大部分を占める粘土製の平瓦と丸瓦及び棟瓦部分を亜鉛など軽量の金属板製の溝板瓦と平板瓦と丸板瓦及び慰斗積状箱棟に置換して屋根重量を大幅に軽減させた。従って、従来屋根に比べて地震に強く施工が簡略化され材料の調達が容易となり、建設費や工期を低減することが可能である。また寺社等の新築や改修をする場合、屋根は勿論、基礎、軸組、小屋組、屋根下地等全体の工事費が廉価となり、施工が簡素化され工期の大幅な短縮が可能である。
また、金属板製の平板瓦やそれを内装した溝板瓦、あるいは丸板瓦や慰斗積状箱棟は、耐腐食性や耐久性があり、粘土製瓦に色調が類似したものにすることができる。従って、銅板製の本瓦棒葺屋根と違って従来の本瓦葺屋根の持つ重厚な外観や色調を確保することができ、耐久寿命は粘土瓦と遜色がない。
さらに、雨水は丸板瓦と平板瓦を流れ、平板瓦から溢れた雨水は溝板瓦を流れて軒先に達する二重防水構造としたので、瓦面からの雨漏りは皆無である。従って従来の本瓦葺屋根のように雨漏りによる屋根の補修や建物本体の改修周期が長くなり、維持管理手間や補修費用の低減が可能である。
【図面の簡単な説明】
【図１】本発明の本瓦棒葺屋根の一実施例を示す軒部分の縦断面図である。
【図２】図１の中間部を示し、（ａ）は横断面図、（ｂ）は縦断面図である。
【図３】図１の棟部分を示す縦断面図である。
【図４】本発明に用いる亜鉛板製の平板瓦を示す斜視図である。
【図５】本発明に用いる亜鉛板製の平板瓦を内装した溝板瓦と丸板瓦を示し、（ａ）は斜視図、（ｂ）は縦断面図である。
【図６】従来の本瓦葺屋根の軒部分を示す縦断面図である。
【符号の説明】
１  平板瓦
２  溝板瓦
３  丸板瓦
５  唐草瓦
６  巴瓦
９  慰斗積状箱棟
１０  雁振瓦
【図１】
0003654321.tif 000002
【図２】
0003654321.tif 000003
【図３】
0003654321.tif 000004
【図４】
0003654321.tif 000005
【図５】
0003654321.tif 000006
【図６】
0003654321.tif 000007